【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
ワイヤレスネットワークにおいてマルチキャストブロードキャストデータを受信するための方法であって、
１つまたは複数の信号中のマルチキャストブロードキャストデータを受信することと、
前記マルチキャストブロードキャストデータに関係するスケジューリング情報を受信する際にエラーが発生したかどうかを判断することと、
前記エラーが発生したと判断されたとき、前記マルチキャストブロードキャストデータの少なくとも一部分に対応するメディアアクセス制御（ＭＡＣ）レイヤパケット中のＭＡＣレイヤサブヘッダを復号することと、
前記ＭＡＣレイヤサブヘッダ中のチャネル識別子が要求されたチャネルの要求されたチャネル識別子に対応するかどうかを判断することと
を備える、方法。
【請求項２】
前記ＭＡＣレイヤパケット中のＭＡＣサービスデータユニット（ＳＤＵ）を通信レイヤに与えることをさらに備え、前記チャネル識別子が前記要求されたチャネル識別子に対応するかどうかを前記判断することは、前記チャネル識別子が前記要求されたチャネル識別子に対応すると判断することを備える、請求項１に記載の方法。
【請求項３】
後続のＭＡＣレイヤパケット中の後続のＭＡＣレイヤサブヘッダを復号することと、
前記後続のＭＡＣレイヤサブヘッダ中の後続のチャネル識別子が前記要求されたチャネル識別子に対応すると判断することと、
前記後続のチャネル識別子が前記要求されたチャネル識別子に対応すると前記判断することに部分的に基づいて、前記後続のＭＡＣレイヤパケット中の後続のＭＡＣ  ＳＤＵを前記通信レイヤに与えることと
をさらに備える、請求項２に記載の方法。
【請求項４】
前記ＭＡＣ  ＳＤＵに関係するフレーミング情報を判断することをさらに備え、前記ＭＡＣ  ＳＤＵを前記与えることが前記フレーミング情報にさらに基づく、請求項２に記載の方法。
【請求項５】
前記ＭＡＣレイヤパケットに関係する物理チャネルがスケジューリング期間中の最後の物理チャネルであると判断することと、
前記物理チャネルが前記スケジューリング期間中の前記最後の物理チャネルであると前記判断することに基づいて、後続のスケジューリング期間中に後続のスケジューリング情報を受信することを試みることと
をさらに備える、請求項１に記載の方法。
【請求項６】
前のスケジューリング情報に部分的に基づいて、前記ＭＡＣレイヤパケットが物理チャネルに対応するサブフレーム中にあると判断することに部分的に基づいて、復号するために前記ＭＡＣレイヤパケットを選択することをさらに備える、請求項１に記載の方法。
【請求項７】
前記前のスケジューリング情報が受信された時間期間にタイミングアドバンスを適用することに部分的に基づいて前記サブフレームを判断することをさらに備える、請求項６に記載の方法。
【請求項８】
後続のＭＡＣレイヤパケット中の後続のＭＡＣレイヤサブヘッダを復号することをさらに備え、前記チャネル識別子が前記要求されたチャネル識別子に対応するかどうかを前記判断することは、前記チャネル識別子が前記要求されたチャネル識別子よりも小さいと判断することを備える、請求項１に記載の方法。
【請求項９】
次の物理チャネルインスタンスに対応する後続のＭＡＣレイヤパケット中の後続のＭＡＣレイヤサブヘッダを復号することをさらに備え、前記チャネル識別子が前記要求されたチャネル識別子に対応するかどうかを前記判断することは、前記チャネル識別子が前記要求されたチャネル識別子よりも大きいと判断することを備える、請求項１に記載の方法。
【請求項１０】
前記マルチキャストブロードキャストデータが発展型マルチキャストブロードキャストマルチメディアサービスデータに対応し、前記スケジューリング情報がマルチキャストスケジューリング情報ＭＡＣ制御要素から判断され、前記要求されたチャネルがマルチキャストトラフィックチャネルに対応し、前記要求されたチャネル識別子が論理チャネル識別子に対応する、請求項１に記載の方法。
【請求項１１】
ワイヤレスネットワークにおいてマルチキャストブロードキャストデータを受信するための装置であって、
１つまたは複数の信号中のマルチキャストブロードキャストデータを受信するための手段と、
前記マルチキャストブロードキャストデータに関係するスケジューリング情報を受信する際にエラーが発生したかどうかを判断するための手段と、
前記エラーが発生したと判断されたとき、前記マルチキャストブロードキャストデータの少なくとも一部分に対応するメディアアクセス制御（ＭＡＣ）レイヤパケット中のＭＡＣレイヤサブヘッダを復号するための手段と、
前記ＭＡＣレイヤサブヘッダ中のチャネル識別子が要求されたチャネルの要求されたチャネル識別子に対応するかどうかを判断するための手段と
を備える、装置。
【請求項１２】
前記ＭＡＣレイヤパケット中のＭＡＣサービスデータユニット（ＳＤＵ）を通信レイヤに与えるための手段をさらに備え、前記チャネル識別子が前記要求されたチャネル識別子に対応するかどうかを判断するための前記手段は、前記チャネル識別子が前記要求されたチャネル識別子に対応すると判断する、請求項１１に記載の装置。
【請求項１３】
前記ＭＡＣレイヤパケットに関係する物理チャネルがスケジューリング期間中の最後の物理チャネルであると判断するための手段をさらに備え、判断するための前記手段は、前記物理チャネルが前記スケジューリング期間中の前記最後の物理チャネルであることに基づいて、後続のスケジューリング期間中に後続のスケジューリング情報を受信することを試みる、請求項１１に記載の装置。
【請求項１４】
１つまたは複数の信号中のマルチキャストブロードキャストデータを受信することと、
前記マルチキャストブロードキャストデータに関係するスケジューリング情報を受信する際にエラーが発生したかどうかを判断することと、
前記エラーが発生したと判断されたとき、前記マルチキャストブロードキャストデータの少なくとも一部分に対応するメディアアクセス制御（ＭＡＣ）レイヤパケット中のＭＡＣレイヤサブヘッダを復号することと、
前記ＭＡＣレイヤサブヘッダ中のチャネル識別子が要求されたチャネルの要求されたチャネル識別子に対応するかどうかを判断することと
を行うように構成された少なくとも１つのプロセッサと、
前記少なくとも１つのプロセッサに結合されたメモリと
を備える、ワイヤレス通信のための装置。
【請求項１５】
前記少なくとも１つのプロセッサが、前記ＭＡＣレイヤパケット中のＭＡＣサービスデータユニット（ＳＤＵ）を通信レイヤに与えるようにさらに構成され、前記少なくとも１つのプロセッサは、前記チャネル識別子が前記要求されたチャネル識別子に対応すると判断する、請求項１４に記載の装置。
【請求項１６】
前記少なくとも１つのプロセッサは、
前記ＭＡＣレイヤパケットに関係する物理チャネルがスケジューリング期間中の最後の物理チャネルであると判断することと、
前記物理チャネルが前記スケジューリング期間中の前記最後の物理チャネルであると前記判断することに基づいて、後続のスケジューリング期間中に後続のスケジューリング情報を受信することを試みることと
を行うようにさらに構成された、請求項１４に記載の装置。
【請求項１７】
ワイヤレスネットワークにおいてマルチキャストブロードキャストデータを受信するためのコンピュータプログラム製品であって、
少なくとも１つのコンピュータに、１つまたは複数の信号中のマルチキャストブロードキャストデータを受信させるためのコードと、
前記少なくとも１つのコンピュータに、前記マルチキャストブロードキャストデータに関係するスケジューリング情報を受信する際にエラーが発生したかどうかを判断させるためのコードと、
前記少なくとも１つのコンピュータに、前記エラーが発生したと判断されたとき、前記マルチキャストブロードキャストデータの少なくとも一部分に対応するメディアアクセス制御（ＭＡＣ）レイヤパケット中のＭＡＣレイヤサブヘッダを復号させるためのコードと、
前記少なくとも１つのコンピュータに、前記ＭＡＣレイヤサブヘッダ中のチャネル識別子が要求されたチャネルの要求されたチャネル識別子に対応するかどうかを判断させるためのコードと
を備える、コンピュータ可読媒体
を備える、コンピュータプログラム製品。
【請求項１８】
前記コンピュータ可読媒体が、前記少なくとも１つのコンピュータに、前記ＭＡＣレイヤパケット中のＭＡＣサービスデータユニット（ＳＤＵ）を通信レイヤに与えさせるためのコードをさらに備え、前記少なくとも１つのコンピュータに、前記チャネル識別子が前記要求されたチャネル識別子に対応するかどうかを判断させるための前記コードは、前記チャネル識別子が前記要求されたチャネル識別子に対応すると判断する、請求項１７に記載のコンピュータプログラム製品。
【請求項１９】
前記コンピュータ可読媒体は、
前記少なくとも１つのコンピュータに、前記ＭＡＣレイヤパケットに関係する物理チャネルがスケジューリング期間中の最後の物理チャネルであると判断させるためのコードと、
前記少なくとも１つのコンピュータに、前記物理チャネルが前記スケジューリング期間中の前記最後の物理チャネルであると前記判断することに基づいて、後続のスケジューリング期間中に後続のスケジューリング情報を受信することを試みさせるためのコードとをさらに備える、請求項１７に記載のコンピュータプログラム製品。
【請求項２０】
ワイヤレスネットワークにおいてマルチキャストブロードキャストデータを受信するための装置であって、
１つまたは複数の信号中のマルチキャストブロードキャストデータを受信するための受信構成要素と、
前記マルチキャストブロードキャストデータに関係するスケジューリング情報を受信する際にエラーが発生したかどうかを判断するためのスケジューリング情報取得構成要素と、
前記エラーが発生したと判断されたとき、前記マルチキャストブロードキャストデータの少なくとも一部分に対応するメディアアクセス制御（ＭＡＣ）レイヤパケット中のＭＡＣレイヤサブヘッダを復号するためのＭＡＣプロトコルデータユニット（ＰＤＵ）復号構成要素と、
前記ＭＡＣレイヤサブヘッダ中のチャネル識別子が要求されたチャネルの要求されたチャネル識別子に対応するかどうかを判断するためのＰＤＵ識別構成要素と
を備える、装置。
【請求項２１】
前記ＭＡＣレイヤパケット中のＭＡＣサービスデータユニット（ＳＤＵ）を通信レイヤに与えるためのデータ通信構成要素をさらに備え、前記ＰＤＵ識別構成要素は、前記チャネル識別子が前記要求されたチャネル識別子に対応すると判断する、請求項２０に記載の装置。
【請求項２２】
前記ＭＡＣ  ＰＤＵ復号構成要素が、後続のＭＡＣレイヤパケット中の後続のＭＡＣレイヤサブヘッダを復号し、前記ＰＤＵ識別構成要素は、前記後続のＭＡＣレイヤサブヘッダ中の後続のチャネル識別子が前記要求されたチャネル識別子に対応すると判断し、前記データ通信構成要素は、前記ＰＤＵ識別構成要素が、前記後続のチャネル識別子が前記要求されたチャネル識別子に対応すると判断したことに部分的に基づいて、前記後続のＭＡＣレイヤパケット中の後続のＭＡＣ  ＳＤＵを前記通信レイヤに与える、請求項２１に記載の装置。
【請求項２３】
前記ＭＡＣ  ＳＤＵに関係するフレーミング情報を判断するためのデータ識別構成要素をさらに備え、前記データ通信構成要素が、前記フレーミング情報にさらに基づいて前記ＭＡＣ  ＳＤＵを与える、請求項２１に記載の装置。
【請求項２４】
前記ＭＡＣレイヤパケットに関係する物理チャネルがスケジューリング期間中の最後の物理チャネルであると判断するためのデータ識別構成要素をさらに備え、前記スケジューリング情報取得構成要素は、前記データ識別構成要素が、前記物理チャネルが前記スケジューリング期間中の前記最後の物理チャネルであると判断したことに基づいて、後続のスケジューリング期間中に後続のスケジューリング情報を受信することを試みる、請求項２０に記載の装置。
【請求項２５】
前記ＭＡＣ  ＰＤＵ復号構成要素は、前のスケジューリング情報に部分的に基づいて、前記ＭＡＣレイヤパケットが物理チャネルに対応するサブフレーム中にあると判断することに部分的に基づいて、復号するために前記ＭＡＣレイヤパケットを選択する、請求項２０に記載の装置。
【請求項２６】
前記ＭＡＣ  ＰＤＵ復号構成要素は、前記前のスケジューリング情報が受信された時間期間にタイミングアドバンスを適用することに部分的に基づいて前記サブフレームを判断する、請求項２５に記載の装置。
【請求項２７】
前記ＭＡＣ  ＰＤＵ復号構成要素が、後続のＭＡＣレイヤパケット中の後続のＭＡＣレイヤサブヘッダを復号し、前記ＰＤＵ識別構成要素は、前記チャネル識別子が前記要求されたチャネル識別子よりも小さいと判断する、請求項２０に記載の装置。
【請求項２８】
前記ＭＡＣ  ＰＤＵ復号構成要素が、次の物理チャネルインスタンスに対応する後続のＭＡＣレイヤパケット中の後続のＭＡＣレイヤサブヘッダを復号し、前記ＰＤＵ識別構成要素は、前記チャネル識別子が前記要求されたチャネル識別子よりも大きいと判断する、請求項２０に記載の装置。
【請求項２９】
前記マルチキャストブロードキャストデータが発展型マルチキャストブロードキャストマルチメディアサービスデータに対応し、前記スケジューリング情報がマルチキャストスケジューリング情報ＭＡＣ制御要素から判断され、前記要求された論理チャネルがマルチキャストトラフィックチャネルに対応し、前記要求されたチャネル識別子が論理チャネル識別子に対応する、請求項２０に記載の装置。
【手続補正２】
【補正対象書類名】明細書
【補正対象項目名】００６４
【補正方法】変更
【補正の内容】
【００６４】
[0075]  一例では、受信機１００２は、受信構成要素５０２と同様であり得る。プロセッサ１００６は、さらに、随意に、スケジューリング情報取得構成要素５０４と同様であり得るスケジューリング情報取得構成要素１０１２に動作可能に結合され得る。プロセッサ１００６はまた、随意に、ＭＡＣ  ＰＤＵ復号構成要素５１０と同様であり得るＭＡＣ  ＰＤＵ復号構成要素１０１４、ＰＤＵ識別構成要素５１２と同様であり得るＰＤＵ識別構成要素１０１６、データ識別構成要素５１４と同様であり得るデータ識別構成要素１０１８、および／またはデータ通信構成要素５１６と同様であり得るデータ通信構成要素１０２０など、ＭＡＣ処理レイヤの１つまたは複数の構成要素に動作可能に結合され得る。
【手続補正３】
【補正対象書類名】明細書
【補正対象項目名】００８１
【補正方法】変更
【補正の内容】
【００８１】
[0092]  上記の開示は、例示的な態様および／または実施形態について論じたが、添付の特許請求の範囲によって定義された説明した態様および／または実施形態の範囲から逸脱することなく、様々な変更および改変を本明細書で行い得ることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段に記載されていない限り、任意の他の態様および／または実施形態の全部または一部とともに利用され得る。
以下に、本願出願の当初の特許請求の範囲に記載された発明を付記する。
［Ｃ１］  ワイヤレスネットワークにおいてマルチキャストブロードキャストデータを受信するための方法であって、
１つまたは複数の信号中のマルチキャストブロードキャストデータを受信することと、
前記マルチキャストブロードキャストデータに関係するスケジューリング情報を受信する際にエラーが発生したかどうかを判断することと、
前記エラーが発生したと判断されたとき、前記マルチキャストブロードキャストデータの少なくとも一部分に対応するメディアアクセス制御（ＭＡＣ）レイヤパケット中のＭＡＣレイヤサブヘッダを復号することと、
前記ＭＡＣレイヤサブヘッダ中のチャネル識別子が要求されたチャネルの要求されたチャネル識別子に対応するかどうかを判断することと
を備える、方法。
［Ｃ２］  前記ＭＡＣレイヤパケット中のＭＡＣサービスデータユニット（ＳＤＵ）を通信レイヤに与えることをさらに備え、前記チャネル識別子が前記要求されたチャネル識別子に対応するかどうかを前記判断することは、前記チャネル識別子が前記要求されたチャネル識別子に対応すると判断することを備える、Ｃ１に記載の方法。
［Ｃ３］  後続のＭＡＣレイヤパケット中の後続のＭＡＣレイヤサブヘッダを復号することと、
前記後続のＭＡＣレイヤサブヘッダ中の後続のチャネル識別子が前記要求されたチャネル識別子に対応すると判断することと、
前記後続のチャネル識別子が前記要求されたチャネル識別子に対応すると前記判断することに部分的に基づいて、前記後続のＭＡＣレイヤパケット中の後続のＭＡＣ  ＳＤＵを前記通信レイヤに与えることと
をさらに備える、Ｃ２に記載の方法。
［Ｃ４］  前記ＭＡＣ  ＳＤＵに関係するフレーミング情報を判断することをさらに備え、前記ＭＡＣ  ＳＤＵを前記与えることが前記フレーミング情報にさらに基づく、Ｃ２に記載の方法。
［Ｃ５］  前記ＭＡＣレイヤパケットに関係する物理チャネルがスケジューリング期間中の最後の物理チャネルであると判断することと、
前記物理チャネルが前記スケジューリング期間中の前記最後の物理チャネルであると前記判断することに基づいて、後続のスケジューリング期間中に後続のスケジューリング情報を受信することを試みることと
をさらに備える、Ｃ１に記載の方法。
［Ｃ６］  前のスケジューリング情報に部分的に基づいて、前記ＭＡＣレイヤパケットが物理チャネルに対応するサブフレーム中にあると判断することに部分的に基づいて、復号するために前記ＭＡＣレイヤパケットを選択することをさらに備える、Ｃ１に記載の方法。
［Ｃ７］  前記前のスケジューリング情報が受信された時間期間にタイミングアドバンスを適用することに部分的に基づいて前記サブフレームを判断することをさらに備える、Ｃ６に記載の方法。
［Ｃ８］  後続のＭＡＣレイヤパケット中の後続のＭＡＣレイヤサブヘッダを復号することをさらに備え、前記チャネル識別子が前記要求されたチャネル識別子に対応するかどうかを前記判断することは、前記チャネル識別子が前記要求されたチャネル識別子よりも小さいと判断することを備える、Ｃ１に記載の方法。
［Ｃ９］  次の物理チャネルインスタンスに対応する後続のＭＡＣレイヤパケット中の後続のＭＡＣレイヤサブヘッダを復号することをさらに備え、前記チャネル識別子が前記要求されたチャネル識別子に対応するかどうかを前記判断することは、前記チャネル識別子が前記要求されたチャネル識別子よりも大きいと判断することを備える、Ｃ１に記載の方法。
［Ｃ１０］  前記マルチキャストブロードキャストデータが発展型マルチキャストブロードキャストマルチメディアサービスデータに対応し、前記スケジューリング情報がマルチキャストスケジューリング情報ＭＡＣ制御要素から判断され、前記要求されたチャネルがマルチキャストトラフィックチャネルに対応し、前記要求されたチャネル識別子が論理チャネル識別子に対応する、Ｃ１に記載の方法。
［Ｃ１１］  ワイヤレスネットワークにおいてマルチキャストブロードキャストデータを受信するための装置であって、
１つまたは複数の信号中のマルチキャストブロードキャストデータを受信するための手段と、
前記マルチキャストブロードキャストデータに関係するスケジューリング情報を受信する際にエラーが発生したかどうかを判断するための手段と、
前記エラーが発生したと判断されたとき、前記マルチキャストブロードキャストデータの少なくとも一部分に対応するメディアアクセス制御（ＭＡＣ）レイヤパケット中のＭＡＣレイヤサブヘッダを復号するための手段と、
前記ＭＡＣレイヤサブヘッダ中のチャネル識別子が要求されたチャネルの要求されたチャネル識別子に対応するかどうかを判断するための手段と
を備える、装置。
［Ｃ１２］  前記ＭＡＣレイヤパケット中のＭＡＣサービスデータユニット（ＳＤＵ）を通信レイヤに与えるための手段をさらに備え、前記チャネル識別子が前記要求されたチャネル識別子に対応するかどうかを判断するための前記手段は、前記チャネル識別子が前記要求されたチャネル識別子に対応すると判断する、Ｃ１１に記載の装置。
［Ｃ１３］  前記ＭＡＣレイヤパケットに関係する物理チャネルがスケジューリング期間中の最後の物理チャネルであると判断するための手段をさらに備え、検出するための前記手段は、前記物理チャネルが前記スケジューリング期間中の前記最後の物理チャネルであることに基づいて、後続のスケジューリング期間中に後続のスケジューリング情報を受信することを試みる、Ｃ１１に記載の装置。
［Ｃ１４］  １つまたは複数の信号中のマルチキャストブロードキャストデータを受信することと、
前記マルチキャストブロードキャストデータに関係するスケジューリング情報を受信する際にエラーが発生したかどうかを判断することと、
前記エラーが発生したと判断されたとき、前記マルチキャストブロードキャストデータの少なくとも一部分に対応するメディアアクセス制御（ＭＡＣ）レイヤパケット中のＭＡＣレイヤサブヘッダを復号することと、
前記ＭＡＣレイヤサブヘッダ中のチャネル識別子が要求されたチャネルの要求されたチャネル識別子に対応するかどうかを判断することと
を行うように構成された少なくとも１つのプロセッサと、
前記少なくとも１つのプロセッサに結合されたメモリと
を備える、ワイヤレス通信のための装置。
［Ｃ１５］  前記少なくとも１つのプロセッサが、前記ＭＡＣレイヤパケット中のＭＡＣサービスデータユニット（ＳＤＵ）を通信レイヤに与えるようにさらに構成され、前記少なくとも１つのプロセッサは、前記チャネル識別子が前記要求されたチャネル識別子に対応すると判断する、Ｃ１４に記載の装置。
［Ｃ１６］  前記少なくとも１つのプロセッサは、
前記ＭＡＣレイヤパケットに関係する物理チャネルがスケジューリング期間中の最後の物理チャネルであると判断することと、
前記物理チャネルが前記スケジューリング期間中の前記最後の物理チャネルであると前記判断することに基づいて、後続のスケジューリング期間中に後続のスケジューリング情報を受信することを試みることと
を行うようにさらに構成された、Ｃ１４に記載の装置。
［Ｃ１７］  ワイヤレスネットワークにおいてマルチキャストブロードキャストデータを受信するためのコンピュータプログラム製品であって、
少なくとも１つのコンピュータに、１つまたは複数の信号中のマルチキャストブロードキャストデータを受信させるためのコードと、
前記少なくとも１つのコンピュータに、前記マルチキャストブロードキャストデータに関係するスケジューリング情報を受信する際にエラーが発生したかどうかを判断させるためのコードと、
前記少なくとも１つのコンピュータに、前記エラーが発生したと判断されたとき、前記マルチキャストブロードキャストデータの少なくとも一部分に対応するメディアアクセス制御（ＭＡＣ）レイヤパケット中のＭＡＣレイヤサブヘッダを復号させるためのコードと、
前記少なくとも１つのコンピュータに、前記ＭＡＣレイヤサブヘッダ中のチャネル識別子が要求されたチャネルの要求されたチャネル識別子に対応するかどうかを判断させるためのコードと
を備える、コンピュータ可読媒体
を備える、コンピュータプログラム製品。
［Ｃ１８］  前記コンピュータ可読媒体が、前記少なくとも１つのコンピュータに、前記ＭＡＣレイヤパケット中のＭＡＣサービスデータユニット（ＳＤＵ）を通信レイヤに与えさせるためのコードをさらに備え、前記少なくとも１つのコンピュータに、前記チャネル識別子が前記要求されたチャネル識別子に対応するかどうかを判断させるための前記コードは、前記チャネル識別子が前記要求されたチャネル識別子に対応すると判断する、Ｃ１７に記載のコンピュータプログラム製品。
［Ｃ１９］  前記コンピュータ可読媒体は、
前記少なくとも１つのコンピュータに、前記ＭＡＣレイヤパケットに関係する物理チャネルがスケジューリング期間中の最後の物理チャネルであると判断させるためのコードと、
前記少なくとも１つのコンピュータに、前記物理チャネルが前記スケジューリング期間中の前記最後の物理チャネルであると前記判断することに基づいて、後続のスケジューリング期間中に後続のスケジューリング情報を受信することを試みさせるためのコードとをさらに備える、Ｃ１７に記載のコンピュータプログラム製品。
［Ｃ２０］  ワイヤレスネットワークにおいてマルチキャストブロードキャストデータを受信するための装置であって、
１つまたは複数の信号中のマルチキャストブロードキャストデータを受信するための受信構成要素と、
前記マルチキャストブロードキャストデータに関係するスケジューリング情報を受信する際にエラーが発生したかどうかを判断するためのスケジューリング情報取得構成要素と、
前記エラーが発生したと判断されたとき、前記マルチキャストブロードキャストデータの少なくとも一部分に対応するメディアアクセス制御（ＭＡＣ）レイヤパケット中のＭＡＣレイヤサブヘッダを復号するためのＭＡＣプロトコルデータユニット（ＰＤＵ）復号構成要素と、
前記ＭＡＣレイヤサブヘッダ中のチャネル識別子が要求されたチャネルの要求されたチャネル識別子に対応するかどうかを判断するためのＰＤＵ識別構成要素と
を備える、装置。
［Ｃ２１］  前記ＭＡＣレイヤパケット中のＭＡＣサービスデータユニット（ＳＤＵ）を通信レイヤに与えるためのデータ通信構成要素をさらに備え、前記ＰＤＵ識別構成要素は、前記チャネル識別子が前記要求されたチャネル識別子に対応すると判断する、Ｃ２０に記載の装置。
［Ｃ２２］  前記ＭＡＣ  ＰＤＵ復号構成要素が、後続のＭＡＣレイヤパケット中の後続のＭＡＣレイヤサブヘッダを復号し、前記ＰＤＵ識別構成要素は、前記後続のＭＡＣレイヤサブヘッダ中の後続のチャネル識別子が前記要求されたチャネル識別子に対応すると判断し、前記データ通信構成要素は、前記ＰＤＵ識別構成要素が、前記後続のチャネル識別子が前記要求されたチャネル識別子に対応すると判断したことに部分的に基づいて、前記後続のＭＡＣレイヤパケット中の後続のＭＡＣ  ＳＤＵを前記通信レイヤに与える、Ｃ２１に記載の装置。
［Ｃ２３］  前記ＭＡＣ  ＳＤＵに関係するフレーミング情報を判断するためのデータ識別構成要素をさらに備え、前記データ通信構成要素が、前記フレーミング情報にさらに基づいて前記ＭＡＣ  ＳＤＵを与える、Ｃ２１に記載の装置。
［Ｃ２４］  前記ＭＡＣレイヤパケットに関係する物理チャネルがスケジューリング期間中の最後の物理チャネルであると判断するためのデータ識別構成要素をさらに備え、前記スケジューリング情報取得構成要素は、前記データ識別構成要素が、前記物理チャネルが前記スケジューリング期間中の前記最後の物理チャネルであると判断したことに基づいて、後続のスケジューリング期間中に後続のスケジューリング情報を受信することを試みる、Ｃ２０に記載の装置。
［Ｃ２５］  前記ＭＡＣ  ＰＤＵ復号構成要素は、前のスケジューリング情報に部分的に基づいて、前記ＭＡＣレイヤパケットが物理チャネルに対応するサブフレーム中にあると判断することに部分的に基づいて、復号するために前記ＭＡＣレイヤパケットを選択する、Ｃ２０に記載の装置。
［Ｃ２６］  前記ＭＡＣ  ＰＤＵ復号構成要素は、前記前のスケジューリング情報が受信された時間期間にタイミングアドバンスを適用することに部分的に基づいて前記サブフレームを判断する、Ｃ２５に記載の装置。
［Ｃ２７］  前記ＭＡＣ  ＰＤＵ復号構成要素が、後続のＭＡＣレイヤパケット中の後続のＭＡＣレイヤサブヘッダを復号し、前記ＰＤＵ識別構成要素は、前記チャネル識別子が前記要求されたチャネル識別子よりも小さいと判断する、Ｃ２０に記載の装置。
［Ｃ２８］  前記ＭＡＣ  ＰＤＵ復号構成要素が、次の物理チャネルインスタンスに対応する後続のＭＡＣレイヤパケット中の後続のＭＡＣレイヤサブヘッダを復号し、前記ＰＤＵ識別構成要素は、前記チャネル識別子が前記要求されたチャネル識別子よりも大きいと判断する、Ｃ２０に記載の装置。
［Ｃ２９］  前記マルチキャストブロードキャストデータが発展型マルチキャストブロードキャストマルチメディアサービスデータに対応し、前記スケジューリング情報がマルチキャストスケジューリング情報ＭＡＣ制御要素から判断され、前記要求された論理チャネルがマルチキャストトラフィックチャネルに対応し、前記要求されたチャネル識別子が論理チャネル識別子に対応する、Ｃ２０に記載の装置。